【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
アプリケーションプログラムによって作られたグラフィカルユーザインタフェースを提供する装置であって、
アプリケーションプログラムによって生成されたアプリケーションプログラムウィンドウであって、前記アプリケーションプログラムウィンドウは、第１サブウィンドウおよび第２サブウィンドウを少なくとも同時に含む、アプリケーションプログラムウィンドウを表示する表示部を備え、
前記第１サブウィンドウは、ネットワークブラウザ式に第１コンテンツを表示し、
前記第１コンテンツは、前記装置を制御する前記アプリケーションプログラムによってリモートサーバからネットワーク上を受け取られ、かつ
前記第２サブウィンドウは、アプリケーション式に第２コンテンツを表示し、
前記第２コンテンツは、前記装置を制御する前記アプリケーションプログラムによって前記リモートサーバから前記ネットワーク上を受け取られる、装置。
【請求項２】
請求項１に記載の装置であって、前記第１サブウィンドウはハイパーリンクを含み、前記第２サブウィンドウはテーブルまたはロウおよびカラムフォーマットを用いる、装置。
【請求項３】
請求項１に記載の装置であって、前記アプリケーションプログラムは、非ブラウザアプリケーションプログラムである、装置。
【請求項４】
請求項１に記載の装置であって、前記第１コンテンツは、メディアアイテムに関する記述的情報である、装置。
【請求項５】
請求項４に記載の装置であって、前記第２コンテンツは、少なくともメディアアイテムのリストを含む、装置。
【請求項６】
請求項５に記載の装置であって、前記第２コンテンツは、前記メディアアイテムのリスト中の前記特定のメディアアイテムのそれぞれについての提示された特定のアイテムリクエストリンクを含む、装置。
【請求項７】
請求項５に記載の装置であって、露骨なコンテンツを含む前記メディアアイテムのリスト中の前記メディアアイテムは、露骨なコンテンツ指示子によって目で見えるように特定される、装置。
【請求項８】
請求項５に記載の装置であって、そうでなければ露骨なコンテンツのバージョンのクリーンなバージョンを含む前記メディアアイテムのリスト中の前記メディアアイテムは、クリーンコンテンツ指示子によって特定される、装置。
【請求項９】
請求項５に記載の装置であって、前記メディアアイテムのリスト中の前記メディアアイテムは、前記メディアアイテムについての名前によって特定され、かつ
前記メディアアイテムのうちの特定の１つは、不快感を与える語を含み、前記メディアアイテムのうちの前記特定の１つの前記名前は、不快感を与えないように変更されたやり方で表示される、装置。
【請求項１０】
請求項１に記載の装置であって、前記第１コンテンツはアルバムに関し、前記第２コンテンツは、前記アルバムに関連付けられた特定のメディアアイテムに関する、装置。
【請求項１１】
請求項１０に記載の装置であって、前記第２コンテンツは、前記特定のメディアアイテムのそれぞれについての買うボタンを含み、前記買うボタンは、前記関連付けられたメディアアイテムのワンクリック購入を可能にする、装置。
【請求項１２】
請求項１０に記載の装置であって、前記第１コンテンツは、前記アルバムについての買うボタンを含み、前記アルバムについての前記買うボタンの前記選択は、前記アルバム内の全ての前記メディアアイテムのワンクリック購入を実行させる、装置。
【請求項１３】
請求項１に記載の装置であって、前記アプリケーションプログラムウィンドウは、アクティブアカウント識別子を表示するアカウントウィンドウをさらに含む、装置。
【請求項１４】
請求項１に記載の装置であって、前記アプリケーションプログラムウィンドウは、前記第１サブウィンドウおよび前記第２サブウィンドウと同時に表示されるソースウィンドウをさらに含む、装置。
【請求項１５】
請求項１に記載の装置であって、
選択されるときに、前記第１サブウィンドウ中の前記第１コンテンツが、ユーザが複数のメディアアイテムをブラウズするのを促進するブラウズインタフェースで置き換えられるようにするトグルコントロール
をさらに備える装置。
【請求項１６】
請求項１５に記載の装置であって、前記ブラウズインタフェースは、
第１選択可能なアイテムの第１リストであって、前記第１選択可能なアイテムは、前記ユーザによって選択されることが可能である、第１リスト、
第２選択可能なアイテムの第２リストであって、前記第２選択可能なアイテムの少なくとも１つは、前記ユーザによって選択されることが可能であり、前記第２リストの前記第２選択可能なアイテムは、前記第１リストからの前記第１選択可能なアイテムのうちの少なくとも１つの前記ユーザによる第１選択に依存し、前記第２リストは、前記ユーザが前記第１リストから前記第１選択可能なアイテムのうちの少なくとも１つを選択した後に、前記第１リストと共に表示される、第２リスト、および
第３選択可能なアイテムの第３リストであって、前記第３選択可能なアイテムの少なくとも１つは、前記ユーザによって選択されることが可能であり、前記第３リストの前記第３選択可能なアイテムは、前記第２リストからの前記第２選択可能なアイテムのうちの少なくとも１つの前記ユーザによる第２選択に依存し、前記第３リストは、前記ユーザが前記第２リストから前記第２選択可能なアイテムのうちの少なくとも１つを選択した後に、前記第１リストおよび前記第２リストと共に表示される、第３リスト
を少なくとも含む、装置。
【請求項１７】
請求項１６に記載の装置であって、
前記第１選択可能なアイテム、前記第２選択可能なアイテム、前記第３選択可能なアイテムおよび前記第４選択可能なアイテムは、それぞれジャンルタイプ、アーチスト、アルバム、およびメディアアイテムであり、かつ
前記第４選択可能なアイテム中の前記特定のメディアアイテムのそれぞれについて、第１特定のアイテムリクエストリンクは、関連付けられるアーチストページにリンクするために提示され、第２特定のアイテムリクエストリンクは、関連付けられるアルバムページにリンクするために提示され、第３特定のアイテムリクエストリンクは、関連付けられるジャンルページにリンクするために提示される、装置。
【請求項１８】
複数のメディアアイテムを通してブラウズする方法であって、
第１リストについての第１選択可能なアイテムをリモートサーバからリクエストすること、
前記第１選択可能なアイテムの前記第１リストを持つブラウズウィンドウを表示すること、
前記第１選択可能なアイテムの前記第１リストのうちの１つの第１ユーザ選択を受け取ること、
前記ユーザが選択した前記第１選択可能なアイテムの前記第１リストのうちの前記１つを区別して表示すること、
第２リストについての第２選択可能なアイテムを前記リモートサーバからリクエストすることであって、前記第２選択可能なアイテムは、前記ユーザが選択した前記第１選択可能なアイテムの前記第１リストのうちの前記１つに依存する、第２選択可能なアイテムをリクエストすること、
前記第１選択可能なアイテムの前記第１リストおよび前記第２選択可能なアイテムの前記第２リストを持つ前記ブラウズウィンドウを表示すること、
前記第２選択可能なアイテムの前記第２リストのうちの１つの第２ユーザ選択を受け取ること、
前記ユーザが選択した前記第２選択可能なアイテムの前記第２リストのうちの前記１つを区別して表示すること、
第３リストについての第３選択可能なアイテムを前記リモートサーバからリクエストすることであって、前記第３選択可能なアイテムは、前記ユーザが選択した前記第２選択可能なアイテムの前記第２リストのうちの前記１つに依存する、第３選択可能なアイテムをリクエストすること、および
前記第１選択可能なアイテムの前記第１リスト、前記第２選択可能なアイテムの前記第２リスト、および前記第３選択可能なアイテムの前記第３リストを持つ前記ブラウズウィンドウを表示すること
を含む方法。
【請求項１９】
請求項１８に記載の方法であって、前記第１選択可能なアイテム、前記第２選択可能なアイテムおよび前記第３選択可能なアイテムは、ジャンルタイプ、アルバムおよびメディアアイテムのうちの１つである方法。
【請求項２０】
請求項１９に記載の方法であって、前記メディアアイテムは曲である方法。
【請求項２１】
請求項１８に記載の方法であって、
前記第３選択可能なアイテムの前記第３リストのうちの１つの第３ユーザ選択を受け取ること、
前記ユーザが選択した前記第３選択可能なアイテムの前記第３リストのうちの前記１つを区別して表示すること
をさらに含む方法。
【請求項２２】
請求項２１に記載の方法であって、前記複数のメディアアイテムを通したブラウズ操作は、前記第１ユーザ選択、前記第２ユーザ選択、および前記第３ユーザ選択の組み合わせによって達成される方法。
【請求項２３】
請求項２１に記載の方法であって、前記方法は、
第４リストについての第４選択可能なアイテムを前記リモートサーバからリクエストすることであって、前記第４選択可能なアイテムは、前記ユーザが選択した前記第３リスト中の前記第３選択可能なアイテムのうちの前記１つに依存する、第４選択可能なアイテムをリクエストすること、および
前記第１選択可能なアイテムの前記第１リスト、前記第２選択可能なアイテムの前記第２リスト、および前記第３選択可能なアイテムの前記第３リストを持つ前記ブラウズウィンドウを表示すること
をさらに含む方法。
【請求項２４】
請求項２３に記載の方法であって、前記複数のメディアアイテムを通したブラウズ操作は、前記第１ユーザ選択、前記第２ユーザ選択、および前記第３ユーザ選択の組み合わせによって達成され、前記第４リスト中の前記第４選択可能なアイテムは、前記ブラウズ操作の結果を表す方法。
【請求項２５】
請求項２４に記載の方法であって、前記第１選択可能なアイテム、前記第２選択可能なアイテム、前記第３選択可能なアイテムおよび前記第４選択可能なアイテムは、それぞれジャンルタイプ、アーチスト、アルバムおよびメディアアイテムである方法。
【請求項２６】
請求項２５に記載の方法であって、前記メディアアイテムは曲である方法。
【請求項２７】
請求項１８に記載の方法であって、
前記ユーザが選択した前記第３リスト中の前記第３選択可能なアイテムのうちの前記１つを区別して表示すること、
第４リストについての第４選択可能なアイテムを前記リモートサーバからリクエストすることであって、前記第４選択可能なアイテムは、前記ユーザが選択した前記第３リスト中の前記第３選択可能なアイテムのうちの前記１つに依存する、第４選択可能なアイテムをリクエストすること、および
前記第１選択可能なアイテムの前記第１リスト、前記第２選択可能なアイテムの前記第２リスト、前記第３選択可能なアイテムの前記第３リスト、および前記第４選択可能なアイテムの前記第４リストを持つ前記ブラウズウィンドウを表示すること
をさらに含む方法。
【請求項２８】
アプリケーションプログラムによって作られたグラフィカルユーザインタフェースを提供する装置であって、
前記アプリケーションプログラムによって生成されたブラウズウィンドウであって、前記ブラウズウィンドウは、前記アプリケーションプログラムのユーザが複数のメディアアイテムを通してブラウズすることを可能にするブラウズウィンドウを含むグラフィカルユーザインタフェースを表示する表示部を備え、
前記ブラウズウィンドウは、
第１選択可能なアイテムの第１リストであって、前記第１選択可能なアイテムの少なくとも１つは前記ユーザによって選択されることが可能である、第１リスト、
第２選択可能なアイテムの第２リストであって、前記第２選択可能なアイテムの少なくとも１つは前記ユーザによって選択されることが可能であり、前記第２リストの前記第２選択可能なアイテムは、前記第１リストからの前記第１選択可能なアイテムのうちの少なくとも１つの前記ユーザによる第１選択に依存し、前記第２リストは、前記ユーザが前記第１リストから前記第１選択可能なアイテムのうちの少なくとも１つを選択した後に前記第１リストと共に表示される、第２リスト、および
第３選択可能なアイテムの第３リストであって、前記第３選択可能なアイテムの少なくとも１つは前記ユーザによって選択されることが可能であり、前記第３リストの前記第３選択可能なアイテムは、前記第２リストからの前記第２選択可能なアイテムのうちの少なくとも１つの前記ユーザによる第２選択に依存し、前記第３リストは、前記ユーザが前記第２リストから前記第２選択可能なアイテムのうちの少なくとも１つを選択した後に前記第１リストおよび前記第２リストと共に表示される、第３リスト
を少なくとも含むブラウズウィンドウである、装置。
【請求項２９】
請求項２８に記載の装置であって、前記グラフィカルユーザインタフェースは、
少なくとも第４選択可能なアイテムの第４リストを含むメディアアイテムウィンドウであって、前記第４選択可能なアイテムのうちの少なくとも１つは前記ユーザによって選択されることが可能であり、前記第４リストは、前記複数の前記メディアアイテムのサブセットを表し、かつ前記第４リストの前記第４選択可能なアイテムは、前記第３リストからの前記第３選択可能なアイテムのうちの少なくとも１つの前記ユーザによる第３選択に依存する、メディアアイテムウィンドウ
をさらに備える、装置。
【請求項３０】
請求項２９に記載の装置であって、前記第４リストは、前記第１リスト、前記ユーザが前記第２リストから前記第２選択可能なアイテムのうちの少なくとも１つを選択した後の前記第２リスト、および前記ユーザが前記第３リストから前記第３選択可能なアイテムのうちの少なくとも１つを選択した後の前記第３リストと共に表示される、装置。
【請求項３１】
請求項３０に記載の装置であって、前記複数のメディアアイテムを通しての前記ブラウズは、前記第１選択、前記第２選択、および前記第３選択の組み合わせによって達成される、装置。
【請求項３２】
請求項３０に記載の装置であって、前記第１選択可能なアイテム、前記第２選択可能なアイテム、前記第３選択可能なアイテムおよび前記第４選択可能なアイテムは、それぞれジャンルタイプ、アーチスト、アルバムおよびメディアアイテムである、装置。
【請求項３３】
請求項３２に記載の装置であって、前記メディアアイテムは曲である、装置。
【請求項３４】
請求項３２に記載の装置であって、買うボタンが前記第４選択可能なアイテム中の前記特定のメディアアイテムのそれぞれについて提示される、装置。
【請求項３５】
請求項３４に記載の装置であって、前記買うボタンのそれぞれは、前記関連付けられるメディアアイテムのワンクリック購入を可能にする、装置。
【請求項３６】
請求項２９に記載の装置であって、
選択されるときに、前記ブラウズウィンドウが情報ウィンドウで置き換えられるようにするトグルコントロールであって、前記情報ウィンドウは、前記第３リストからの前記第３選択可能なアイテムのうちの少なくとも１つの前記ユーザによる前記第１選択、前記第２選択および前記第３選択のうちの少なくとも１つに関する情報を含む、トグルコントロール
をさらに備える装置。
【請求項３７】
請求項２９に記載の装置であって、特定のアイテムリクエストリンクが前記第４選択可能なアイテム中の前記特定のメディアアイテムのそれぞれについて提示される装置。
【請求項３８】
請求項２９に記載の装置であって、
前記第１選択可能なアイテム、前記第２選択可能なアイテム、前記第３選択可能なアイテムおよび前記第４選択可能なアイテムは、それぞれジャンルタイプ、アーチスト、アルバムおよびメディアアイテムであり、かつ
前記第４選択可能なアイテム中の前記特定のメディアアイテムのそれぞれについて、第１特定のアイテムリクエストリンクは、関連付けられるアーチストページにリンクするために提示され、第２特定のアイテムリクエストリンクは、関連付けられるアルバムページにリンクするために提示され、第３特定のアイテムリクエストリンクは、関連付けられるジャンルページにリンクするために提示される、装置。
【請求項３９】
請求項２９に記載の装置であって、露骨なコンテンツを含む前記第４選択可能なアイテムの前記メディアアイテムは、露骨なコンテンツ指示子によって目で見えるように特定される装置。
【請求項４０】
請求項２９に記載の装置であって、そうでなければ露骨なコンテンツのバージョンのクリーンなバージョンを含む前記第４選択可能なアイテムの前記メディアアイテムは、クリーンコンテンツ指示子によって特定される、装置。
【請求項４１】
請求項２９に記載の装置であって、前記ブラウズウィンドウで表示されている前記第４選択可能なアイテムの前記メディアアイテムは、前記メディアアイテムについての名前によって特定され、かつ
前記メディアアイテムのうちの特定の１つの名前は、不快感を与える語を含み、前記メディアアイテムのうちの前記特定の１つの前記名前は、不快感を与えないように変更されたやり方で表示される、装置。
【請求項４２】
アプリケーションプログラムによって作られるグラフィカルユーザインタフェースを提供する装置であって、
アプリケーションプログラムによって生成されたアプリケーションプログラムウィンドウであって、前記アプリケーションプログラムウィンドウは、サブウィンドウおよびネクストコントロールを少なくとも同時に含む、アプリケーションプログラムウィンドウを表示する表示部を備え、
前記サブウィンドウは、メディアアイテムの第１セットについてのメディア情報を表示し、前記メディアアイテムの第１セットについての前記メディア情報は、前記アプリケーションプログラムによってリモートサーバからネットワーク上で受け取られ、かつ
前記ネクストコントロールがアクティベートされるとき、前記サブウィンドウは、メディアアイテムの第２セットについてのメディア情報を表示し、前記メディアアイテムの第２セットについての前記メディア情報は、前記アプリケーションプログラムによって前記リモートサーバから前記ネットワーク上で受け取られる、装置。
【請求項４３】
請求項４２に記載の装置であって、前記メディアアイテムはアルバムを含み、前記セット内の前記アルバムのそれぞれについて前記サブウィンドウに表示される前記メディア情報は、名前およびそれに関連付けられるアートワークを少なくとも含む、装置。
【請求項４４】
請求項４２に記載の装置であって、メディアアイテムの前記第２セット中の前記メディアアイテムは、メディアアイテムの前記第２セット中の前記メディアアイテムとは完全に異なる、装置。
【請求項４５】
請求項４２に記載の装置であって、前記メディアアイテムはビデオを含み、前記セット内の前記ビデオのそれぞれについて前記サブウィンドウに表示される前記メディア情報は、名前およびそれに関連付けられるアートワークを少なくとも含む、装置。
【請求項４６】
請求項４２に記載の装置であって、前記アプリケーションプログラムウィンドウは複数のネクストコントロールを備える、装置。
【請求項４７】
請求項４６に記載の装置であって、前記ネクストコントロールのそれぞれは、特定の方向におけるメディアアイテムの次のセットへの遷移を提供する、装置。
【請求項４８】
請求項４６に記載の装置であって、前記ネクストコントロールのそれぞれは、特定の方向におけるメディアアイテムの次のセットへのスクロールを提供する、装置。
【請求項４９】
請求項４２に記載の装置であって、前記ネクストコントロールは、メディアアイテムの前記第１セットからメディアアイテムの前記第２セットへの前記遷移がどのように達成されるかを特定するそれに関連付けられるトランザクション効果を有する、装置。
【請求項５０】
請求項４２に記載の装置であって、前記ネクストコントロールは実質的に前記サブウィンドウの上に表示される、装置。
【請求項５１】
複数のメディアアイテムについての情報をレビューする方法であって、
少なくとも１つのサブウィンドウおよび少なくとも１つのネクストコントロールを有するウィンドウを表示することであって、前記少なくとも１つのサブウィンドウは、前記メディアアイテムの第１セットに関する第１メディアデータを表示し、前記第１メディアデータはリモートサーバによって提供される、ウィンドウを表示すること、
ユーザが前記少なくとも１つのネクストコントロールを選択するかを決定すること、
前記決定することが、前記ユーザが前記少なくとも１つのネクストコントロールを選択したと決定するとき、前記リモートサーバから前記メディアアイテムの次のセットに関する次のメディアデータをリクエストすること、
その後、前記メディアアイテムの前記次のセットに関する前記次のメディアデータを受け取ること、および
前記ウィンドウの前記少なくとも１つのサブウィンドウ内に前記次のメディアデータを表示すること
を含む方法。